(57)【要約】【課題】原水改質装置を備える浴室用機能ユニットにおいて、低コスト化を実現できる技術を提供する。【解決手段】浴室用機能ユニットは、浴室壁部に固定される、浴室用機能部品を支持するための支持部材４６と、支持部材４６とは別体であり、支持部材４６に固定される、原水を改質するための原水改質装置５４と、を備える。【選択図】図７
2020033837.tif 000002
【特許請求の範囲】
【請求項１】
浴室壁部に固定される、浴室用機能部品を支持するための支持部材と、
前記支持部材とは別体であり、前記支持部材に固定される、原水を改質するための原水改質装置と、を備えることを特徴とする浴室用機能ユニット。
【請求項２】
前記原水改質装置の一部は、前記支持部材内の収容空間に収容されることを特徴とする請求項１に記載の浴室用機能ユニット。
【請求項３】
前記支持部材は、前記収容空間に収容された前記原水改質装置の前記一部の背後で浴室壁部に固定されることを特徴とする請求項２に記載の浴室用機能ユニット。
【請求項４】
前記原水改質装置は、装置本体と、カバーと、を含み、
前記装置本体は、固定具により前記支持部材に固定され、
前記カバーは、前記固定具を覆うように前記装置本体に取り付けられることを特徴とする請求項１から３のいずれかに記載の浴室用機能ユニット。
【請求項５】
前記原水改質装置は、スライド式の嵌合構造により、支持部材に支持されることを特徴とする請求項１から４のいずれかに記載の浴室用機能ユニット。
【請求項６】
前記支持部材は、原水改質装置の水平方向の移動を規制するよう構成されていることを特徴とする請求項１から５のいずれかに記載の浴室用機能ユニット。
【請求項７】
前記支持部材は、原水改質装置の鉛直方向の移動を規制するよう構成されていることを特徴とする請求項１から６のいずれかに記載の浴室用機能ユニット。
【請求項８】
前記原水改質装置は、
供給水を原水または改質水に切り替えるための切替機構部と、
カートリッジを収容するためのケーシングと、を含み、
前記切替機構部は、前記支持部材に固定され、
前記ケーシングは、前記原水改質装置の他の部材に対して着脱可能であることを特徴とする請求項１から７のいずれかに記載の浴室用機能ユニット。
【発明の詳細な説明】
【技術分野】
【０００１】
本発明は、浴室用機能ユニットに関する。
【背景技術】
【０００２】
シャワーヘッド等の吐水装置に供給される水の浄化を目的として、吐水装置に給水するための給水路に浄水カートリッジを組み込む場合がある。たとえば、特許文献１には、シャワーフックがスライド可能なスライドバーの内部に浄水カートリッジを組み込んだ給湯水装置が開示されている。
【先行技術文献】
【特許文献】
【０００３】
【特許文献１】特開２００３−１７４９７７号公報
【発明の概要】
【発明が解決しようとする課題】
【０００４】
本発明者は、原水を改質する原水改質装置をスライドバー等の浴室用機能部品に組み付けることを検討している。本発明者は、このような検討の過程で、原水改質装置のコストという観点から、特許文献１の開示技術に関して改良の余地があるとの認識を得た。
【０００５】
本発明はこうした状況に鑑みてなされたものであり、その目的は、原水改質装置を備える浴室用機能ユニットにおいて、低コスト化を実現できる技術を提供することにある。
【課題を解決するための手段】
【０００６】
上記課題を解決するために、本発明のある態様の浴室用機能ユニットは、浴室壁部に固定される、浴室用機能部品を支持するための支持部材と、支持部材とは別体であり、支持部材に固定される、原水を改質するための原水改質装置と、を備える。
【０００７】
なお、以上の構成要素の任意の組み合わせや、本発明の構成要素や表現を、方法、装置、システムなどの間で相互に置換したものもまた、本発明の態様として有効である。
【発明の効果】
【０００８】
本発明によれば、原水改質装置を備える浴室用機能ユニットにおいて、低コスト化を実現できる技術を提供できる。
【図面の簡単な説明】
【０００９】
【図１】実施の形態の浴室ユニットを示す斜視図である。
【図２】図１の機能ユニットを示す側面図である。
【図３】図１の水栓装置から吐水装置に至る給水路を示す図である
【図４】図１の原水改質装置とその周辺を示す左側面図である。
【図５】図１の原水改質装置とその周辺を示す正面図である。
【図６】図１の原水改質装置とその周辺を示す分解斜視図である。
【図７】図５のＡ−Ａ線断面図である。
【図８】図４のＢ−Ｂ線断面図である。
【図９】図４のＣ−Ｃ線断面図である。
【図１０】図４のＤ−Ｄ線断面図である。
【図１１】図４のＥ−Ｅ線断面図である。
【図１２】図４のＦ−Ｆ線断面図である。
【図１３】図１３（ａ）〜（ｄ）はそれぞれ、カバーの左側面図、正面図、右側面図、背面図である。
【図１４】第２ホース接続部とその周辺を示す分解斜視図である。
【図１５】図１４のカバーの斜視図である。
【図１６】変形例のカバーを示す図である。
【００１０】
以下、実施の形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１１】
図１は、実施の形態の浴室ユニット１０を示す斜視図である。図２は、機能ユニット２６を示す側面図である。浴室ユニット１０は、浴槽１２と、浴槽１２に隣り合う位置に設けられる洗い場床１４と、浴室空間を内部に画定する複数の浴室壁部１６と、水栓装置１８と、吐水装置２０と、一次側ホース２２と、二次側ホース２４と、機能ユニット２６と、を備える。
【００１２】
水栓装置１８は、入浴者による操作に応じて、吐水装置２０から吐き出される水の流量や温度を調整する。
【００１３】
機能ユニット２６は、浴室用機能部品であるスライドバー３６と、スライドバー３６を支持する支持部材４４、４６と、原水を改質するための原水改質装置５４と、を含む。スライドバー３６は、シャワーフック４０や入浴者の荷重を受けるとともにシャワーフック４０をスライド可能に支持する。スライドバー３６は、水栓装置１８から分離している。シャワーフック４０には、シャワーヘッドである吐水装置２０が掛けられる。
【００１４】
支持部材４４、４６は、浴室壁部１６にビス等の固定具により固定される。本実施の形態のスライドバー３６は、鉛直方向に延び、その上端部が支持部材４４を介して浴室壁部１６に支持され、その下端部が支持部材４６を介して浴室壁部１６に支持される。原水改質装置５４は、操作部材６０に対する入浴者の操作に応じて、吐水装置２０に原水と改質水とを切替えて供給する。
【００１５】
一次側ホース２２は水栓装置１８と原水改質装置５４を接続し、二次側ホース２４は原水改質装置５４と吐水装置２０を接続する。
【００１６】
図３は、水栓装置１８から吐水装置２０に至る給水路２８を示す図である。給水路２８の途中には原水改質装置５４のカートリッジ６２および弁機構５８が設けられる。カートリッジ６２は、一次側周面部６６に供給された原水を改質して二次側内部水路６８に供給する。給水路２８は、原水改質装置５４に設けられる一次側通水路３０、二次側通水路３２および原水通水路３４を有する。原水通水路３４には、一次側通水路３０を介して一次側ホース２２から原水Ｌｂが供給される。弁機構５８が開状態のときは、原水通水路３４の原水Ｌｂは、弁機構５８および二次側通水路３２を介して二次側ホース２４に供給水Ｌｃとして供給される。弁機構５８が閉状態のときは、原水通水路３４の原水Ｌｂは、カートリッジ６２によって改質水Ｌａに改質され、二次側通水路３２を介して二次側ホース２４に供給水Ｌｃとして供給される。
【００１７】
図４は、原水改質装置５４とその周辺を示す左側面図である。図５は、原水改質装置５４とその周辺を示す正面図である。図６は、原水改質装置５４とその周辺を示す分解斜視図である。
【００１８】
以下、便宜的に浴室壁部１６の法線方向を方向Ｐと表記し、鉛直方向を方向Ｑと表記する。本実施の形態では、方向Ｐおよび方向Ｑは互いに直交する。なお、方向Ｐおよび方向Ｑと直交する方向を左右方向と呼ぶこともある。
【００１９】
原水改質装置５４は、装置本体５０と、カバー７４と、を含む。装置本体５０は、水路形成体５２と、カートリッジ６２と、カートリッジ６２を収容するケーシング６４と、一次側ホース２２が接続される第１ホース接続部５５と、二次側ホース２４が接続される第２ホース接続部５６と、を含む。
【００２０】
第１ホース接続部５５は、ケーシング６４の下部に設けられる。第２ホース接続部５６は、水路形成体５２の左側面部に設けられる。第１ホース接続部５５には、上述の一次側通水路３０が形成され、水路形成体５２および第２ホース接続部５６には、上述の二次側通水路３２が形成される。
【００２１】
水路形成体５２は、切替機構部４８を含む。切替機構部４８は、操作部材６０に対する操作に応じて弁機構５８（図４〜６では不図示）を開閉することにより、供給水Ｌｃを、原水Ｌｂまたは改質水Ｌａに切り替える。
【００２２】
ケーシング６４は、原水改質装置５４の他の部材、本実施の形態では水路形成体５２の下部に、着脱自在に取り付けられる。ケーシング６４には、カートリッジ６２を収容するための収容部６４ｓが設けられる。ケーシング６４は、上端に開口部６４ａが設けられ、下端は閉塞されている。カートリッジ６２は、開口部６４ａから出し入れされる。図４に示すように、収容部６４ｓの内部空間は、カートリッジ６２の周囲に上述の原水通水路３４を構成する。第１ホース接続部５５に形成された一次側通水路３０は、ケーシング６４の下部の背面側に形成された開口を通じて収容部６４ｓの内部空間と連通する。
【００２３】
原水改質装置５４は、支持部材４６とは別体であり、ビス等の固定具７２により支持部材４６に固定される。ここで、原水改質装置５４を支持部材４６と一体の１つの部品にすると、浴室用機能部品であるスライドバー３６の種類ごとに専用の原水改質装置を用意しなければならず、コストが高くなる。一方、本実施の形態のように原水改質装置５４を支持部材４６とは別体として、原水改質装置５４を支持部材４６に固定するようにすれば、スライドバー３６の種類ごとに専用の支持部材４６を用意すれば原水改質装置５４は共用できるので、コストを抑えられる。
【００２４】
図７は、図５のＡ−Ａ線断面図である。図８〜１２はそれぞれ、図４のＢ−Ｂ線断面図
、Ｃ−Ｃ線断面図、Ｄ−Ｄ線断面図、Ｅ−Ｅ線断面図、Ｆ−Ｆ線断面図である。
【００２５】
図７等に示すように、水路形成体５２は、支持部材４６内の収容空間４６ｓに収容される。支持部材４６には、水路形成体５２の背後に挿通孔４６ｈが形成されている。支持部材４６は、この挿通孔４６ｈに固定具３８を挿通して、つまり収容空間４６ｓに収容された水路形成体５２の背後の固定具３８で、浴室壁部１６に固定される。これにより、支持部材４６から突出する原水改質装置５４の部分の鉛直方向の寸法を短くでき、すっきりとした見た目を実現できる。
【００２６】
図８等に示すように、原水改質装置５４は、スライド式の嵌合構造により、支持部材４６に支持される。本実施の形態では、水路形成体５２の左右の側面５２ａのそれぞれに、前後に延びる２本の突条５２ｂが形成され、水路形成体５２の左右の側面５２ａに対向する支持部材４６の内壁面４６ａのそれぞれに、前後に延びる２本の溝４６ｂが形成されている。水路形成体５２は、突条５２ｂが溝４６ｂに挿入されるように水平方向にスライドされて、支持部材４６の収容空間４６ｓに収容される。溝４６ｂの内周面により、突条５２ｂひいては原水改質装置５４が支持される。この場合、突条５２ｂおよび溝４６ｂを比較的長く形成することで、それらの接触面積（支持面積）を大きくでき、また支持スパンを長くできるため、支持部材４６によって原水改質装置５４の鉛直荷重をしっかり支持できる。なお、支持部材４６に突条が形成され、水路形成体５２に溝が形成されてもよい。
【００２７】
支持部材４６は、上述したように、水路形成体５２の左右の側面５２ａに対向する内壁面４６ａを有する。この内壁面４６ａにより、水路形成体５２ひいては原水改質装置５４の左右の移動や回転が規制される。また支持部材４６は、水路形成体５２の上面５２ｃに対向する天面４６ｃを有する。この天面４６ｃと、突条５２ｂが挿入される溝４６ｂにより、水路形成体５２ひいては原水改質装置５４の上下の移動や回転が規制される。これにより、原水改質装置５４がガタつくのが抑えられる。
【００２８】
水路形成体の左右の側面５２ａと、支持部材４６の左右の内壁面４６ａとは、好ましくは、相補的な形状を有する、言い換えると対応する形状を有する、さらに言い換えると実質的に同一の断面形状を有する。同様に、水路形成体５２の上面５２ｃと、支持部材４６の天面４６ｃとは、好ましくは、相補的な形状を有する。これにより、水路形成体５２に荷重がかかったときに、支持部材４６はその荷重を面で受けられる。これにより、水路形成体５２および支持部材４６に局所的に大きな負荷がかかるのが抑止され、それらが摩耗、変形、破損等するのが抑止される。
【００２９】
図４〜６、８等に示すように、カバー７４は、支持部材４６ごと水路形成体５２を覆う。カバー７４により固定具３８が覆われるため、原水改質装置５４を支持部材４６に固定具３８でしっかりと固定しつつも、良好な美観を確保できる。本実施の形態のカバー７４は、第１カバー体７６と、第２カバー体７８と、を含む。図示の例では、第１カバー体７６により固定具３８が覆われている。
【００３０】
本実施の形態の第１カバー体は、水路形成体５２の正面と両側面の一部分とを覆う第１部分７６ｍと、水路形成体５２の両側面の他の一部を覆う第２部分７６ｎと、を含む。第１部分７６ｍは、正面側に凸に湾曲した略半円筒形状を有する。第２部分７６ｎは、第１部分７６ｍの両端部から後方に延びる板形状を有する。第２カバー部７６ｎの鉛直方向における寸法は、第１カバー部７６ｍの鉛直方向における寸法の略半分である。第１カバー体７６は、正面視で縦長の矩形形状を呈し、側面視で逆向きのＬ字形状を呈する。
【００３１】
図６、８〜１０等に示すように、第１カバー体７６は、その上端部に、内側に張り出す張出部７６ａを有する。また、支持部材４６の両側面に対向する第１カバー体７６の内壁面７６ｂには、前後に延びる２本の突条７６ｃが形成されている。２本の突条７６ｃは、張出部７６ａよりも下方に位置する。支持部材４６の上面の左右両端には、前後に延びる、下側に凹んだ凹部４６ｄが形成されている。第１カバー体７６は、張出部７６ａと突条７６ｃとが支持部材４６の上側部分を上下に挟み込むように支持部材４６の前方側から水平方向にスライドされて、支持部材４６に嵌合される。
【００３２】
第２部分７６ｎから張り出している張出部７６ａの部分は、凹部４６ｄに収容される。張出部７６ａの当該部分は、後ろ側ほどそれらの間隔Ｗ１が広くなるように形成されている。同様に、支持部材４６の凹部４６ｄは、周壁面４６ｅの間隔Ｗ２が後ろ側ほど広くなるように構成されている。これにより、第１カバー体７６を支持部材４６に嵌め込むときに、張出部７６ａと凹部４６ｄとが摺動するのが抑止され、第１カバー体７６の組み付け性が向上する。
【００３３】
図１０に示すように、第１カバー体７６には、張出部７６ａの後方側に、左右内側に突出する爪７６ｄが形成されている。支持部材４６の後方上側には、爪７６ｄに対応する、左右内側に凹んだ凹部４６ｆが形成されている。爪７６ｄは、凹部４６ｆに係合する。
【００３４】
図１１に示すように、第１カバー体７６には、後方下側に、左右内側に凹んだ凹部７６ｅが形成されている。第２カバー体７８の後方上側には、凹部７６ｅに対応する、左右内側に突出する爪７８ａが形成されている。凹部７６ｅには、爪７８ａが係合する。
【００３５】
図１０に示した爪７６ｄと凹部４６ｆとの係合は、第１カバー体７６の上側を広げることで解除され、図１１に示した爪７８ａと凹部７６ｅとの係合は、第１カバー体７６の下側を狭めることで解除される。つまり、第１カバー体７６は、上下で逆に変形させることで取り外せる。これにより、意図せず取り外れるのが抑止される。
【００３６】
図４、６等に示すように、第２カバー体７８は、水路形成体５２の左右の側面５２ａのうち、第１カバー体７６によって覆われていない部分を覆う一対のカバー部７８ｂと、一対のカバー部７８ｂを接続する接続部７８ｃと、を含む。カバー部７８ｂは板形状を有する。一対のカバー部７８ｂが一体の１つの部品として構成されるため、部品点数を減らすことができ、コストを低減できる。カバー部７８ｂの一方側には、第２ホース接続部５６が挿通される切欠き７８ｆが形成されている。なお、切欠き７８ｆの代わりに挿通孔が形成されてもよい。
【００３７】
図４、７等に示すように、第２カバー体７８の接続部７８ｃには固定具が挿通される挿通孔７８ｇが形成されている。第２カバー体７８は、支持部材４６とともに、浴室壁部１６に固定具３８で固定（例えば共締め）される。これにより、第２カバー体７８と支持部材４６とを別々の固定具で浴室壁部１６に固定する場合と比べて部品点数を減らすことができ、コストを低減できる。
【００３８】
図６、９等に示すように、第２カバー体７８および支持部材４６は、第２カバー体７８を位置決めするための位置決め構造を有する。支持部材４６の左右の側面４６ｇには、係合凹部４６ｉが設けられている。支持部材４６の左右の側面４６ｇに対向するカバー部７８ｂの対向面７８ｈには、係合凸部７８ｉが設けられている。第２カバー体７８は、係合凸部７８ｉと係合凹部４６ｉとが係合するように支持部材４６の後方側から水平方向にスライドされて、支持部材４６に嵌合される。これにより、第２カバー体７８は上下に位置決めされる。また、第２カバー体７８の上下の移動が規制される。なお、支持部材４６に係合凸部が形成され、第２カバー体７８に係合凹部が形成されてもよい。
【００３９】
ここで、図示は省略するが、第２カバー体７８は平面視で角張ったＵ字形状を有する。上述の係合凸部７８ｉは、カバー部７８ｂに加えて接続部７８ｃにも接続されている。したがって、係合凸部７８ｉは、第２カバー体７８のＵ字形状が変形するのを抑止する補強部としても機能する。なお、第２カバー体７８には、係合凸部７８ｉとは別に、リブ等の補強部が設けられてもよい。
【００４０】
図４、８、９、１２等に示すように、第１カバー体７６と第２カバー体７８は、第１接合部８１と、第１接合部８１とは交差する方向に延びる第２接合部８２との２箇所で接合している。図示の例では、第１接合部８１と第２接合部８２は直交している。具体的には、第１接合部８１は前後方向に延び、第２接合部８２は上下に延びている。
【００４１】
前後方向に延びる第１カバー体７６と第２カバー体７８との第１接合部８１は、第１カバー体７６の外倒れを規制するように（裏を返せば第２カバー体７８の内倒れを規制するように）構成され、上下方向に延びる第１カバー体７６と第２カバー体７８との第２接合部８２は、第１カバー体７６の内倒れを規制するように（裏を返せば第２カバー体７８の外倒れを規制するように）構成される。つまり、第１カバー体７６および第２カバー体７８はいずれも、内倒れおよび外倒れの両方が規制される。なお、第１接合部８１が第１カバー体７６の内倒れを抑止するよう構成され、第２接合部８２が第１カバー体７６の外倒れを抑止するよう構成されてもよい。
【００４２】
本実施の形態の第１接合部８１では、第１カバー体７６と第２カバー体７８との端面にはそれぞれ、相補形状の段部が形成される。具体的には、第１カバー体７６には、左右内側ほど高くなる（すなわち左右内側ほど下に位置する）段部７６ｆが形成され、第２カバー体７８には、左右外側ほど高くなる段部７８ｄが形成される。これにより、第２カバー体７８によって第１カバーの外倒れが規制され、反対に、第１カバー体７６によって第２カバー体７８の内倒れが規制される。
【００４３】
同様に、本実施の形態の第２接合部８２では、第１カバー体７６と第２カバー体７８との端面にはそれぞれ、相補形状の段部が形成される。具体的には、第１カバー体７６には、左右外側ほど高くなる（すなわち左右外側ほど後ろに位置する）段部７６ｇが形成され、第２カバー体７８には、内側ほど高くなる（すなわち内側ほど前に位置する）段部７８ｅが形成される。これにより、第２カバー体７８によって第１カバーの内倒れが規制され、反対に、第１カバー体７６によって第２カバー体７８の外倒れが規制される。
【００４４】
このように、第１カバー体７６および第２カバー体７８の両方の、内倒れおよび外倒れが規制されることで、第１カバー体７６と第２カバー体７８の外表面を実質的に面一に保つことができ、良好な美観を確保できる。
【００４５】
また、上述したように２つの接合部が交差するように延びることで、各カバー体の回転も規制され、カバー体が回転して外れるのを抑止できる。
【００４６】
上述したように、第１カバー体７６、第２カバー体７８はそれぞれ、反対向きに水平方向にスライドされて支持部材４６に嵌合され、その結果、第１カバー体７６と第２カバー体７８との接合部の段部が嵌合する。つまり、第１カバー体７６と第２カバー体７８とは、相互にスライドされて嵌合される。
【００４７】
図１３（ａ）〜（ｄ）はそれぞれ、カバー７４を示す左側面図、正面図、右側面図、背面図である。図５、６、８〜１３等に示すように、第１カバー体７６は、左右対称に形成される。第２カバー体７８は、一方のカバー部７８ｂに形成された切欠き７８ｆを除いて、当該第１カバー体７６の中心を前後に延びる所定の軸に関して１８０度回転対称（二回対称）に形成される。また、第２カバー体７８は、上下対称に形成される。したがって、図８、９に示すように、第２カバー体７８には、第１カバー体７６と接合していない下側の端面にも、段部７８ｄが形成されている。また、図示は省略するが、第２カバー体７８には、第１カバー体７６と接合していない下側の後方にも、左右内側に突出する爪７８ａが形成されている。
【００４８】
ここで、本実施の形態では、水路形成体５２の左側の側面５２ａに第２ホース接続部５６が設けられているが、変形例として、水路形成体５２の右側の側面５２ａに第２ホース接続部５６が設けられてもよい。すなわち、水路形成体５２および第２ホース接続部５６が、図示の例とは左右反転しててもよい。
【００４９】
上述のように第１カバー体７６が左右対称に形成され、第２カバー体７８が１８０度回転対称に形成されるため、水路形成体５２の右側の側面５２ａに第２ホース接続部５６が設けられる場合は、切欠き７８ｆがあるカバー部７８ｂが右側にくるように左右を入れ替えて第２カバー体７８を取り付けることができる。つまり、水路形成体５２の左側に第２ホース接続部５６が設けられる場合と右側に第２ホース接続部５６が設けられる場合で第２カバー体７８を共通にでき、これによりコストを低減できる。
【００５０】
図１４は、第２ホース接続部５６とその周辺を示す分解斜視図である。第２ホース接続部５６は、エルボ管８６と、カバー９０と、抜け止め部材９２と、を含む。図１５は、カバー９０の斜視図である。図５、８、１４、１５を参照する。
【００５１】
エルボ管８６は、樹脂製であり、一端が、カバー７４から突出する水路形成体５２の突出管部５２ｄに接続され、他端が、二次側ホース２４（図５、８、１４、１５では不図示）に接続される。
【００５２】
エルボ管８６は、水路形成体５２から突き出るように設けられる第１管部８６ａと、第１管部８６ａと実質的に直交する方向に延在する第２管部８６ｂと、第１管部８６ａと第２管部８６ｂとを接続する接続部８６ｃと、を含む。本実施の形態では、第１管部８６ａは水路形成体５２から左側に延び、第２管部８６ｂは接続部８６ｃから鉛直下方に延びる。
【００５３】
カバー９０は、エルボ管８６の接続部の少なくとも角部８６ｄを覆うように構成される。これにより、エルボ管８６の外観によらず、カバー９０により意匠性を確保できる。カバー９０には、意匠性を考慮して、その外表面にメッキが施されてもよい。本実施の形態のカバー９０は、一端側が閉塞された筒状であり、当該閉塞部が上を向いた状態で第２管部８６ｂと接続部８６ｃを覆っている。カバー９０には、第１管部８６ａが突き出る切欠き９０ａが形成されている。
【００５４】
抜け止め部材９２は、カバー９０とともにエルボ管８６を環囲するようにカバー９０に係合する。具体的には、カバー９０は上からエルボ管８６に被せられ、抜け止め部材９２は下から挿入されてカバー９０に係合される。カバー９０と抜け止め部材９２とが係合されることで、特にカバー９０と抜け止め部材９２とでエルボ管８６を環囲するように係合されることで、エルボ管からのカバーの抜けが規制される。当然に、抜け止め部材９２が外れるのも抑止される。
【００５５】
抜け止め部材９２は、カバー９０の切欠９０ａきを塞ぐカバー部９２ａを含む。カバー９０と、抜け止め部材９２のカバー部９２ａとは、実質的に面一となるように形成される。カバー９０と、抜け止め部材９２との境界９６は、エルボ管の中心軸線Ｃよりも曲げ内側に位置する。別の言い方をする、抜け止め部材９２は、エルボ管８６の中心軸線Ｃよりも曲げ内側にのみ露出する。これにより、切欠き９０ａからエルボ管８６が露出せず、かつ、カバー９０と抜け止め部材９２との境界９６が目立たないため、意匠性が向上する。
【００５６】
以上、実施の形態について説明した。この実施の形態は例示であり、各構成要素の組み合わせにいろいろな変形例が可能なこと、またそうした変形例も本発明の範囲にあることは当業者に理解されるところである。
【００５７】
実施の形態では、カバー９０がエルボ管８６の第２管部８６ｂおよび接続部８６ｃを覆うように構成されている場合について説明したが、これには限定されず、上述したようにカバーはエルボ管８６の少なくとも角部８６ｄを覆うように構成されればよい。図１６は、カバー９０の変形例の一例を示す。図１６は図５に対応する。この変形例では、カバー９０は、第２管部８６ｂおよび接続部８６ｃに加えて、第１管部８６ａを覆うように構成されている。
【００５８】
実施の形態では、機能ユニット２６がスライドバーを含む場合について説明したが、これには限定されない。例えば機能ユニット２６がスライドバーの代わりに単なる手すりを含み、この手すりを支持部材４４、４６が支持してもよい。つまり支持部材４４、４６は、浴室に関連する機能（例えば浴室用物品や入浴者の荷重を受ける機能）を発揮する浴室用機能部品を支持するものであればよい。
【００５９】
実施の形態では、原水改質装置５４のカバー７４の内倒れおよび外倒れを抑止する技術思想について説明したが、この技術思想は、原水改質装置５４には限定されず、水路が形成された部材を覆う複数のカバー体を備える他の装置にも適用できる。
【００６０】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００６１】
以上の実施の形態および変形例により具体化される発明を一般化すると、以下の技術的思想が導かれる。
本発明のある態様の浴室用機能ユニットは、浴室壁部に固定される、浴室用機能部品を支持するための支持部材と、支持部材とは別体であり、支持部材に固定される、原水を改質するための原水改質装置と、を備える。
【００６２】
この態様によると、浴室用機能部品ごとに専用の支持部材を用意すれば、原水改質装置は共用できるので、コストを抑えられる。
【００６３】
原水改質装置の一部は、支持部材内の収容空間に収容されてもよい。
【００６４】
支持部材は、収容空間に収容された原水改質装置の一部の背後で浴室壁部に固定されてもよい。
【００６５】
これらの場合、支持部材から突出する原水改質装置の部分の鉛直方向の寸法を短くでき、すっきりとした見た目を実現できる。
【００６６】
原水改質装置は、装置本体と、カバーと、を含んでもよい。装置本体は、固定具により支持部材に固定され、カバーは、固定具を覆うように装置本体に取り付けられてもよい。
【００６７】
この場合、原水改質装置を支持部材に固定具でしっかりと固定しつつも、良好な美観を確保できる。
【００６８】
原水改質装置は、スライド式の嵌合構造により、支持部材に支持されてもよい。この場合、支持部材によって原水改質装置の鉛直荷重をしっかり支持できる。
【００６９】
支持部材は、原水改質装置の水平方向の移動を規制するよう構成されていてもよい。
【００７０】
支持部材は、原水改質装置の鉛直方向の移動を規制するよう構成されていてもよい。
【００７１】
これらの場合、原水改質装置がガタつくのが抑えられる。
【００７２】
原水改質装置は、供給水を原水または改質水に切り替えるための切替機構部と、カートリッジを収容するためのケーシングと、を含んでもよい。切替機構部は、支持部材に固定され、ケーシングは、原水改質装置の他の部材に対して着脱可能であってもよい。
【符号の説明】
【００７３】
２６  機能ユニット、  ３６  スライドバー、  ４６  支持部材、  ５４  原水改質装置。
【図１】
2020033837.tif 000003
【図２】
2020033837.tif 000004
【図３】
2020033837.tif 000005
【図４】
2020033837.tif 000006
【図５】
2020033837.tif 000007
【図６】
2020033837.tif 000008
【図７】
2020033837.tif 000009
【図８】
2020033837.tif 000010
【図９】
2020033837.tif 000011
【図１０】
2020033837.tif 000012
【図１１】
2020033837.tif 000013
【図１２】
2020033837.tif 000014
【図１３】
2020033837.tif 000015
【図１４】
2020033837.tif 000016
【図１５】
2020033837.tif 000017
【図１６】
2020033837.tif 000018